(57)【特許請求の範囲】
【請求項１】
ベッド毎に設置されて呼出操作が行われるナースコール子機と、
前記ナースコール子機からの呼出に応答するためのナースコール親機と、
医療従事者が携帯するための携帯端末と、
前記医療従事者の頭部に装着可能な携帯通話機器と、
を備え、
前記ナースコール子機は、所定の操作に応じて、他の医療従事者の指導を要求する旨の指導要求呼出信号を前記ナースコール親機に向けて送信する子機送信部を有し、
前記ナースコール親機は、
前記ナースコール子機から前記指導要求呼出信号を受信した場合、通話するための呼出信号を受信した際に報知する呼出音とは異なる音色の呼出音を報知する報知部と、
前記ナースコール子機から前記指導要求呼出信号を受信した場合、所定の操作に応じて、前記携帯端末を呼び出す端末呼出信号を前記携帯端末に向けて送信する親機送信部と、を有し、
前記携帯端末は、前記ナースコール親機から前記端末呼出信号を受信した場合に、当該携帯端末を介して前記携帯通話機器と前記ナースコール親機との間の無線通信環境を成立させる通信成立機能を有し、
前記ナースコール子機の前記子機送信部が前記指導要求呼出信号を前記ナースコール親機に向けて送信したことに起因して前記携帯端末が前記端末呼出信号を受信した場合、前記無線通信環境が自動的に成立する、
ナースコールシステム。
【請求項２】
ベッドを撮像するカメラを備え、
前記ナースコール親機は、親機表示部を有し、
前記指導要求呼出信号が前記ナースコール親機に向けて送信される際、前記指導要求呼出信号を送信する前記ナースコール子機が設置された前記ベッドの前記カメラの映像情報が、前記ナースコール親機に向けて送信され、前記親機表示部に表示される、
請求項１に記載のナースコールシステム。
【請求項３】
前記ナースコール親機は、親機表示部を有し、
前記ナースコール親機は、前記指導要求呼出信号を受信した場合、前記親機表示部に、前記指導要求呼出信号を送信する前記ナースコール子機が設置された前記ベッドに入院している患者の患者詳細情報を表示する、
請求項１または請求項２に記載のナースコールシステム。
【請求項４】
前記ナースコール親機は、親機表示部を有し、
前記ナースコール親機は、前記指導要求呼出信号を受信した場合、前記親機表示部に、前記ナースコール親機と通信可能な携帯端末を携帯する医療従事者のリストを表示する、
請求項１から請求項３のいずれか一項に記載のナースコールシステム。
【発明の詳細な説明】
【技術分野】
【０００１】
本発明は、ナースコールシステムに関するものである。
【背景技術】
【０００２】
従来、入院患者が、その患者自身が利用するベッドに設置されたナースコール子機を用いて、ナースステーションに設置されたナースコール親機や担当の医療従事者（医師や看護師等）が携帯する携帯端末を呼び出すことが可能なナースコールシステムがある。
【０００３】
また、従来のナースコールシステムとしては、医療従事者が、ベッドに設置されたナースコール子機を用いて、ナースコール親機や他の医療従事者が携帯する携帯端末を同時に呼び出すことが可能なスタッフコールと称される機能も有したものがある。この機能を利用することで、医療従事者は、状況に応じて他の医療従事者にサポートを要求することが可能である（特許文献１参照）。
【先行技術文献】
【特許文献】
【０００４】
【特許文献１】特開２００７−２０２７１２号公報
【発明の概要】
【発明が解決しようとする課題】
【０００５】
ところで、近年、社会の高齢化が進むにつれて、病院では患者数が増加する一方であり、ベッド不足や医療従事者の人数不足の問題は深刻である。また、医療サービスが高度化するに伴い、各医療従事者の専門性は細分化される傾向にある。そこで、医療サービスの品質維持や業務負担の分散の観点から、各医療従事者間におけるスムーズな業務連携を支援することが可能なシステムに対するニーズが更に高まっている。
【０００６】
そこで、本発明は、各医療従事者間におけるスムーズな業務連携を支援することが可能なナースコールシステムを提供することを目的とする。
【課題を解決するための手段】
【０００７】
上記目的を達成するために、本発明のナースコールシステムは、
ベッド毎に設置されて呼出操作が行われるナースコール子機と、
前記ナースコール子機からの呼出に応答するためのナースコール親機と、
医療従事者が携帯するための携帯端末と、
前記医療従事者の頭部に装着可能な携帯通話機器と、
を備え、
前記ナースコール子機は、所定の操作に応じて、前記ナースコール親機を呼び出す親機呼出信号を前記ナースコール親機に向けて送信する子機送信部を有し、
前記ナースコール親機は、前記親機呼出信号を受信した場合、所定の操作に応じて、前記携帯端末を呼び出す端末呼出信号を前記携帯端末に向けて送信する親機送信部を有し、
前記携帯端末は、前記端末呼出信号を受信した場合に、当該携帯端末を介して前記携帯通話機器と前記ナースコール親機との間の無線通信環境を成立させる通信成立機能を有する。
【０００８】
従来のシステムにおいて、例えば、入院患者の病室にいる医療従事者が、ナースステーションにいる医療従事者に当該入院患者への対処方法について相談したい場合、当該入院患者のベッドに設置されるナースコール子機のハンドセットを用いて通話したり、自身が携帯する携帯端末を用いて通話することが考えられる。しかし、この方法では、例えば、医療従事者は、ハンドセットや携帯端末を片手で把持しつつ当該入院患者への対処を行わなければならず、不便である。また、ナースコール子機や携帯端末のハンズフリー機能を利用することも考えられるが、通話内容が入院患者や他の患者にも聞こえてしまう可能性があるため好ましくない。
【０００９】
しかし、本発明の上記構成によれば、所定の操作に応じて、入院患者の病室にいる医療従事者の携帯端末を介して、当該医療従事者の頭部に装着された携帯通話機器と、例えばナースステーションに設置されるナースコール親機との間で無線通信環境が成立する。このため、入院患者の病室にいる医療従事者は、その頭部に携帯通話機器を装着した状態で、ナースステーションにいる医療従事者と通話することができる。このとき、携帯通話機器を装着した医療従事者は、当該入院患者や他の患者に会話の内容を聞かれること無く、かつ、自分自身の両手が空いた状態で、入院患者の対処方法について詳しく相談することができ、必要な措置をスムーズに行動に移すことができる。このように、上記構成によれば、各医療従事者間におけるスムーズな業務連携を支援することが可能なナースコールシステムを提供することができる。
【００１０】
また、本発明のナースコールシステムにおいて、
前記携帯端末が前記端末呼出信号を受信した場合、前記無線通信環境が自動的に成立するようにしても良い。
【００１１】
この構成によれば、携帯通話機器を装着した医療従事者は、ナースステーションにいる医療従事者とスムーズに通話状態に移行することができる。
【００１２】
また、本発明のナースコールシステムは、
ベッドを撮像するカメラを備え、
前記ナースコール親機は、親機表示部を有し、
前記親機呼出信号が前記ナースコール親機に向けて送信される際、前記親機呼出信号を送信する前記ナースコール子機が設置された前記ベッドの前記カメラの映像情報が、前記ナースコール親機に向けて送信され、前記親機表示部に表示されるようにしても良い。
【００１３】
この構成によれば、例えばナースステーションで待機していた医療従事者は、患者の様子を映像で確認しながら、病室にいる医療従事者に対して適切な指示を出すことができる。
【００１４】
また、本発明のナースコールシステムにおいて、
前記ナースコール親機は、親機表示部を有し、
前記ナースコール親機は、前記親機呼出信号を受信した場合、前記親機表示部に、前記親機呼出信号を送信する前記ナースコール子機が設置された前記ベッドに入院している患者の患者詳細情報を表示するようにしても良い。
【００１５】
この構成によれば、例えばナースステーションで待機していた医療従事者は、患者の詳細情報を確認しながら、病室にいる医療従事者に対して適切な指示を出すことができる。
【００１６】
また、本発明のナースコールシステムにおいて、
前記ナースコール親機は、親機表示部を有し、
前記ナースコール親機は、前記親機呼出信号を受信した場合、前記親機表示部に、前記ナースコール親機と通信可能な携帯端末を携帯する医療従事者のリストを表示するようにしても良い。
【００１７】
この構成によれば、例えばナースステーションで待機していた医療従事者は、医療従事者リストの中から所定の医療従事者を特定可能であり、医療従事者の特定にミスが生じにくくなる。
【発明の効果】
【００１８】
本発明のナースコールシステムによれば、各医療従事者間におけるスムーズな業務連携を支援することができる。
【図面の簡単な説明】
【００１９】
【図１】本発明の実施形態に係るナースコールシステムの構成図である。
【図２】ナースコールシステムにおける制御機の機能ブロック図である。
【図３】ナースコールシステムにおけるナースコール子機の機能ブロック図である。
【図４】ナースコールシステムにおけるナースコール親機の機能ブロック図である。
【図５】ナースコールシステムにおける携帯端末の機能ブロック図である。
【図６】ナースコールシステムにおけるカメラの機能ブロック図である。
【図７】ナースコール親機に表示される情報を説明する図である。
【発明を実施するための形態】
【００２０】
以下、本発明に係るナースコールシステムの実施形態の一例について、図面を参照して詳細に説明する。
【００２１】
図１に示すように、ナースコールシステム１は、ナースコール子機２と、廊下灯３と、カメラ４と、ナースコール親機５と、携帯端末６と、ヘッドセット（携帯通話機器の一例）７と、制御機８と、交換機９と、基地局１０と、管理ＰＣ（オーダリングシステム）１１を備えている。これらの各部は、ハブ（ＨＵＢ）１５を介して通信可能にＬＡＮ（Local Area Network）接続されている。また、ナースコール子機２は通信ケーブルＬ１を介して、カメラ４は通信ケーブルＬ２を介して、病室毎に廊下灯３に接続されている。また、基地局１０は、通信ケーブルＬ３を介して交換機９に接続されている。ナースコールシステム１は、例えば患者を収容する病院等の医療，介護施設内に設置されている。
【００２２】
ナースコール子機２は、病室内の病床（ベッド）毎に設置されており、プレート子機２１と、プレート子機２１に着脱可能な握り子機２２とを備えている。
【００２３】
プレート子機２１は、例えば各患者のベッドの上方の壁面に設置されており、マイク２１ａ、スピーカ２１ｂ、呼出ボタン２１ｃ、スタッフコールボタン２１ｄ等を有している。マイク２１ａ及びスピーカ２１ｂは、操作者（患者、医療従事者等）が通話を行う際に用いられる。呼出ボタン２１ｃは、ベッド毎の患者が医療従事者を呼び出す際に用いられる。スタッフコールボタン２１ｄは、医療従事者（医師、看護師等）が他の医療従事者を呼び出す際に用いられる。
【００２４】
本例のスタッフコールボタン２１ｄは、２通りの用途に用いることができるように構成されている。一つ目の用途として、スタッフコールボタン２１ｄは、従来の用途と同様に、医療従事者が不特定の他の医療従事者の応援を求める際に操作するボタンとして用いられる。二つ目の用途として、スタッフコールボタン２１ｄは、医療従事者が特定のスーパーバイザ（ベテラン看護師、専門看護師等）にアドバイスや指導等を求める際に操作するボタンとして用いられる。例えば、スタッフコールボタン２１ｄは、所定時間内に一回押された場合（一度押し）には応援要求用（上記一つ目の用途用）のボタンとして機能し、所定時間内に二回連続して押された場合（二度押し）には指導要求用（上記二つ目の用途用）のボタンとして機能するように設定されている。
【００２５】
なお、医療従事者が特定のスーパーバイザにアドバイスや指導等を求める際に操作するボタンは、例えば「指導要求ボタン」と称して、従来の用途に用いるスタッフコールボタンとは別に設けるようにしても良い。
【００２６】
握り子機２２には、呼出ボタン２２ａが設けられている。呼出ボタン２２ａは、上記呼出ボタン２１ｃと同様に、ベッド毎の患者が医療従事者を呼び出す際に用いられるボタンであり、握り子機２２がプレート子機２１に接続された状態において機能する。
【００２７】
廊下灯３は、各病室の出入口付近に設置されており、液晶表示部３１と、表示ランプ３２とを備えている。液晶表示部３１は、ナースコール子機２が操作されたベッドにいる患者の氏名、ベッド番号等の患者情報を表示する。表示ランプ３２は、ナースコール子機２から呼び出しが発せられたことを例えば点灯により報知する。患者の氏名、病室番号、ベッド番号等の情報は、ナースコール子機２のナースコール子機ＩＤと対応付けて廊下灯３の記憶部（図示省略）に記憶されている。
【００２８】
カメラ４は、各ベッドにいる患者の状態（様子）を撮像するためのものであり、病室内のベッド毎に設置されている。カメラ４には、例えばＩＰカメラ（Internet Protocolカメラ）を適用することができる。
【００２９】
ナースコール親機５は、ナースコール子機２からの呼び出しに対する応答、携帯端末６に対しての呼び出し、各種情報の表示等を行うものであり、ナースステーション等の施設内共用部に設置されている。ナースコール親機５は、大型モニタ（親機表示部の一例）５１と、小型モニタ５２と、通話部５３とを備えている。
【００３０】
大型モニタ５１には、各患者の情報が一覧表示された患者一覧情報、患者の看護及び病状に関連する患者詳細情報、患者の映像情報、医療従事者が携帯する端末の携帯情報等が表示される。大型モニタ５１は、例えば２４型のタッチパネル画面で構成されており、操作部としても機能するように構成されている。小型モニタ５２には、患者の看護に関連する患者基本情報、その他の各種情報が表示される。小型モニタ５２は、例えば７型のタッチパネル画面で構成されており、操作部としても機能する。通話部５３は、呼出元（例えばナースコール子機２）との通話あるいは呼出先（例えば携帯端末６）との通話を行うためのハンドセット、呼出音を出力する報知部等を有している。
【００３１】
携帯端末６は、医療従事者が業務に使用するために携帯する端末であり、映像を撮像可能なカメラやタッチパネルからなるディスプレイを有する例えばスマート端末等が用いられる。また、携帯端末６は、通話機能、無線通信（例えばブルートゥース）機能等を有している。携帯端末６は、ＬＡＮ上で用いられる個別の携帯番号（携帯ＩＤ）を有し、ナースコール親機５と通信可能な端末として登録されている。
【００３２】
ヘッドセット７は、頭部に装着可能な通話機器であり、例えば携帯端末６が配布されている医療従事者により携帯される。ヘッドセット７を装着した医療従事者は、携帯端末６が有する無線通信機能により通信相手（例えばスーパーバイザ）との間でハンズフリー通話が可能となる。
【００３３】
制御機８は、中継器として設置されており、ナースコール子機２、カメラ４、ナースコール親機５、携帯端末６等の間の通信を制御する。
【００３４】
交換機（例えば、Internet Protocol Private Branch eXchange等）９は、ナースコール親機５と携帯端末６の接続、ナースコール子機２と携帯端末６との接続等を管理するための機器であり、ナースステーション内または施設内の共用部に設置されている。基地局１０は、携帯端末６との間で無線通信を行うためのアンテナであり、ナースステーションの近辺、および施設内でナースステーションから離れた場所に所定の間隔で設置されている。
【００３５】
管理ＰＣ１１は、患者の情報、携帯端末の情報、医療従事者の情報等を含む病院に関する最新の情報が一括して管理される機器であり、例えば施設の管理室等の所定の場所に設置されている。
【００３６】
次に、制御機８の機能について説明する。
図２に示すように、制御機８は、制御機ＣＰＵ８１と、制御機ＣＰＵ８１に接続された記憶部８２、廊下灯インターフェース回路（以下、インターフェース回路を「Ｉ／Ｆ」と称す）８３、カメラＩ／Ｆ８４、交換機Ｉ／Ｆ８５、親機Ｉ／Ｆ８６、及び管理Ｉ／Ｆ８７とを備えている。
【００３７】
記憶部８２には、患者情報テーブル８２ａと、映像情報テーブル８２ｂと、患者一覧情報テーブル８２ｃと、携帯情報テーブル８２ｄと、医療従事者情報テーブル８２ｅとが設けられている。
【００３８】
患者情報テーブル８２ａには、患者の氏名、病室番号、ベッド番号、診療科目、救護区分、感染症、転倒転落危険度、担当看護師名、担当医師名、飲物情報、食事制限、住所、電話番号等の情報がナースコール子機ＩＤと対応付けて記憶されている。これらの情報のうち患者の氏名、病室番号、ベッド番号等を含む患者の看護に関連する情報を患者基本情報と称する。また、これら全ての情報を含む患者の病状及び看護に関連する情報を患者詳細情報と称する。映像情報テーブル８２ｂには、各カメラ４で撮像される患者の映像情報がカメラ４が設置されている各病室のベッド番号（ナースコール子機ＩＤ）と対応付けて記憶されている。
【００３９】
患者一覧情報テーブル８２ｃには、例えば各病室のベッド番号と患者との対応関係等を示す患者一覧情報が記憶されている。携帯情報テーブル８２ｄには、携帯端末６の携帯ＩＤとその端末を携帯する医療従事者の医療従事者ＩＤとが対応付けられた携帯情報が記憶されている。医療従事者情報テーブル８２ｅには、医療従事者とその医療従事者が担当する患者とが対応付けられた医療従事者情報が記憶されている。なお、記憶部８２の各情報は、管理ＰＣ１１から例えば定期的に送信されてきて更新されるように構成されている。
【００４０】
制御機ＣＰＵ８１は、例えば記憶部８２に記憶される情報の送受信等の管理、ナースコール子機２の呼び出しに対するナースコール親機５及び所定の携帯端末６への接続処理、ナースコール親機５の呼び出しに対する携帯端末６への接続処理等を行う。
【００４１】
廊下灯Ｉ／Ｆ８３は、廊下灯３との信号伝送路を形成するための通信部を構成している。また、カメラＩ／Ｆ８４はカメラ４との信号伝送路を形成するための通信部を構成し、交換機Ｉ／Ｆ８５は交換機９との信号伝送路を形成するための通信部を構成し、親機Ｉ／Ｆ８６はナースコール親機５との信号伝送路を形成するための通信部を構成し、管理Ｉ／Ｆ８７は管理ＰＣ１１との信号伝送路を形成するための通信部を構成している。
【００４２】
次に、ナースコール子機２の機能について説明する。
図３に示すように、ナースコール子機２は、廊下灯Ｉ／Ｆ２４と、廊下灯Ｉ／Ｆ２４に接続されたマイク２１ａ、スピーカ２１ｂ、呼出ボタン２１ｃ、スタッフコールボタン２１ｄとを備えている。
【００４３】
廊下灯Ｉ／Ｆ（子機送信部の一例）２４は、廊下灯３と信号伝送路を形成するための通信部を構成している。呼出ボタン２１ｃ又はスタッフコールボタン２１ｄが操作されると、操作されたボタンの呼出信号が廊下灯Ｉ／Ｆ２４から廊下灯３及び制御機８を介してナースコール親機５へ送信される。例えば、スタッフコールボタン２１ｄが一度押しされた場合には応援を要求する旨の呼出信号として送信され、二度押しされた場合には指導を要求する旨の呼出信号として送信される。音声処理部２３は、マイク２１ａ及びスピーカ２１ｂから入出力される音声信号を処理する。
【００４４】
次に、ナースコール親機５の機能について説明する。
図４に示すように、ナースコール親機５は、ナースコール親機ＣＰＵ５４と、ナースコール親機ＣＰＵ５４に接続された大型モニタ５１、小型モニタ５２、通話部５３、制御機Ｉ／Ｆ５５とを備えている。
【００４５】
ナースコール親機ＣＰＵ５４は、大型モニタ５１及び小型モニタ５２に表示させる各種情報の表示処理、大型モニタ５１の操作部５１ａに対して行われる操作の検出処理、通話部５３に対する通話処理等を行う。制御機Ｉ／Ｆ（親機送信部の一例）５５は、制御機８と信号伝送路を形成するための通信部を構成している。例えば、ナースコール親機ＣＰＵ５４は、大型モニタ５１に表示された携帯情報がタッチ操作されると、操作された情報の携帯端末６を呼び出す端末呼出信号を制御部Ｉ／Ｆ５５から制御機８を介して携帯端末６へ送信する。
【００４６】
次に、携帯端末６の機能について説明する。
図５に示すように、携帯端末６は、携帯ＣＰＵ６１と、携帯ＣＰＵ６１に接続された携帯アプリケーション６２、ディスプレイ６３、カメラ６４、交換機Ｉ／Ｆ６５とを備えている。
【００４７】
携帯アプリケーション６２には、携帯端末６の各処理を行うための複数種のアプリケーションがインストールされている。例えば、ナースコール親機５からの端末呼出信号を受信した場合、無線通信（例えばブルートゥース）によりヘッドセット７を無線通信可能な状態とする（無線化）アプリケーションがインストールされている。ヘッドセット７の無線化は、例えば携帯端末６が端末呼出信号を受信すると同時に端末呼出信号をトリガとしてアプリケーションが起動し自動的に無線化されても良い。また、予めアプリケーションを起動させておいて、端末呼出信号の受信に伴って自動的に無線化されるようにしても良い。さらに、携帯端末６のディスプレイ上に表示されるボタン（例えば、“ヘッドセットボタン”と称する）を医療従事者が押した後にアプリケーションが起動して無線化されるものであっても良い。
【００４８】
携帯ＣＰＵ６１は、携帯アプリケーション６２にインストールされているアプリケーションに基づいて、携帯端末６の各部の動作を制御する。交換機Ｉ／Ｆ６５は、交換機９と信号伝送路を形成するための通信部を構成している。
【００４９】
次に、カメラ４の機能について説明する。
図６に示すように、カメラ４は、カメラＣＰＵ４１と、カメラＣＰＵ４１に接続された撮像部４２、映像記憶部４３、廊下灯Ｉ／Ｆ４４とを備えている。
【００５０】
カメラＣＰＵ４１は、例えば、患者の映像が常時撮像されるように撮像部４２を制御している。映像記憶部４３には、例えば、撮像部４２で撮像された映像のうちの一定時間遡った時点から現在までの映像が順次書き換えられながら記憶されている。廊下灯Ｉ／Ｆ４４は、廊下灯３と信号伝送路を形成するための通信部を構成している。撮像された患者の映像は、廊下灯Ｉ／Ｆ４４から廊下灯３を介して制御機８へ送信される。なお、撮像部４２による患者の撮像は、ナースコール子機２の呼出ボタン２１ｃ又はスタッフコールボタン２１ｄが押下された時点から開始されるように設定することもできる。
【００５１】
次に、ナースコールシステム１の動作を説明する。
本例では医療従事者Ａ（新人看護師）が、入院患者Ｘへの対処方法について、ナースステーションにいる医療従事者Ｂ（スーパーバイザ）の指導等を求める際にナースコールシステム１を使用した場合について説明する。
【００５２】
病室の患者Ｘのところにいる医療従事者Ａによって、ナースコール子機２のスタッフコールボタン２１ｄが二度押しされる。医療従事者Ａは、頭部にヘッドセット７を装着している。スタッフコールボタン２１ｄの二度押しにより、スーパーバイザの指導を要求する旨の指導要求呼出信号（親機呼出信号の一例）がナースコール子機２から廊下灯３へ送信される。また、廊下灯３は、指導要求呼出信号に、患者Ｘの氏名、病室番号、ベッド番号（ナースコール子機ＩＤ）等を含む呼出元の情報（呼出元情報）を添付して制御機８へ送信する。
【００５３】
指導要求呼出信号を受信した制御機８は、制御機ＣＰＵ８１によって、指導要求呼出信号に添付された呼出元情報を読み取り、ナースコール子機ＩＤに対応付けられている患者Ｘの患者詳細情報を患者情報テーブル８２ａから入手する。また、制御機ＣＰＵ８１は、同様にしてナースコール子機ＩＤに対応付けられているカメラ４を特定して患者Ｘの映像情報を映像情報テーブル８２ｂから入手する。さらに、制御機ＣＰＵ８１は、ナースコール親機５と通信可能な端末として登録されている携帯端末６の携帯情報を携帯情報テーブル８２ｄから入手する。制御機ＣＰＵ８１は、入手した患者詳細情報、映像情報、及び携帯情報を指導要求呼出信号に添付して、ナースコール親機５へ送信する。
【００５４】
指導要求呼出信号を受信したナースコール親機５は、ナースコール親機ＣＰＵ５４により、報知部から呼出音を出力する。指導要求呼出信号を受信した際の呼出音は、応援を要求する旨の呼出信号を受信した際の呼出音と異なる音色で出力される。また、ナースコール親機ＣＰＵ５４は、指導を要求する呼び出しであることを報知する例えば「指導要求コール」という文字を小型モニタ５２に表示しても良い。また、ナースコール親機ＣＰＵ５４は、図７に示すように、指導要求呼出信号に添付されてきた患者詳細情報５６、映像情報５７、及び携帯情報５８を大型モニタ５１に例えばポップアップ表示する。携帯情報５８は、各医療従事者名と携帯ＩＤとを対応させたリスト（医療従事者リスト）として表示される。
【００５５】
ナースコール親機５のハンドセットを取り上げると、制御機８がナースコール親機５とナースコール子機２の間の通話路を形成して通話が可能となる。医療従事者Ｂは、ナースコール子機２のスタッフコールボタン２１ｄを操作した医療従事者Ａと通話し、医療従事者Ａの個人を確認する。医療従事者Ｂは、確認した医療従事者Ａを大型モニタ５１に表示された医療従事者リストの中から特定し、特定した医療従事者Ａの欄（例えば図７の「0002：古谷」）をタッチする。医療従事者リストの医療従事者Ａの欄がタッチされると、医療従事者Ａの携帯情報がナースコール親機ＣＰＵ５４から制御機８へ送信される。
【００５６】
制御機ＣＰＵ８１は、送信されてきた医療従事者Ａの携帯情報に基づいて、医療従事者Ａが携帯する携帯端末６を呼び出す端末呼出信号を、交換機９を介して医療従事者Ａの携帯端末６へ送信する。
【００５７】
端末呼出信号を受信した医療従事者Ａの携帯端末６は、携帯ＣＰＵ６１により、呼出音を出力する。医療従事者Ａによって、携帯端末６の受信ボタンが押されると、制御機８が携帯端末６とナースコール親機５の間の通話路を形成して通話が可能となる。このとき、携帯ＣＰＵ６１は、端末呼出信号の受信に基づいて、アプリケーション（通信成立機能）を起動させ、無線通信によりヘッドセット７を自動的に無線化する。これにより、携帯端末６を介して、ヘッドセット７とナースコール親機５との間に無線通信環境が成立する。
【００５８】
医療従事者Ａは、頭部に装着したヘッドセット７を用いて通話することができ、医療従事者Ｂのアドバイスを受けることが可能になる。なお、医療従事者Ａと医療従事者Ｂとの会話内容は、制御機８の記憶部８２に例えば会話情報テーブルを設けて医療従事者ＩＤとともに記録するようにしても良い。
【００５９】
ところで、近年、病院では患者数が増加しており、医療従事者の人数不足の問題は深刻となっている。若手の医療従事者を育成させるためには、熟練したベテランの医療従事者が一対一対応でフォローする体制を取ることも大切であるが、その場合には医療従事者のシフトを組むのが大変になり実際には困難である。
【００６０】
そこで、例えば、入院患者の病室にいる若手の医療従事者が、ナースステーションにいるベテランの医療従事者に入院患者への対処方法について相談できるようにすることで、医療従事者をフォローする体制を取ることもできる。この場合、従来のシステムでは、若手の医療従事者は、入院患者のベッドに設置されるナースコール子機のハンドセットを用いて通話したり、自身が携帯する携帯端末を用いて通話することが考えられる。しかし、この方法では、例えば、医療従事者は、ハンドセットや携帯端末を片手で把持しつつ入院患者への対処を行わなければならず、不便である。また、ナースコール子機や携帯端末のハンズフリー機能を利用することも考えられるが、通話内容が入院患者や他の患者にも聞こえてしまう可能性があり、患者に対して不要な不安を与えてしまうことから好ましくない。
【００６１】
これに対して、本実施形態のナースコールシステム１によれば、ナースコール子機２とナースコール親機５とにおける所定の操作に応じて、入院患者Ｘの病室にいる医療従事者Ａの携帯端末６を介して、医療従事者Ａの頭部に装着されたヘッドセット７と、ナースステーションに設置されたナースコール親機５との間で無線通信環境を成立させることができる。このため、入院患者Ｘの病室にいる医療従事者Ａは、その頭部にヘッドセット７を装着した状態で、ナースステーションにいる医療従事者Ｂと通話することができる。このとき、通話相手である医療従事者Ｂが話す内容はヘッドセット７から周囲に漏れないため、ヘッドセット７を装着した医療従事者Ａは、入院患者Ｘや他の患者に会話の内容を知られること無く、かつ、自分自身の両手が空いた状態で、入院患者Ｘの対処方法について詳しく医療従事者Ｂに相談することができる。このため、医療従事者Ａは、患者に不安を与えることなく、必要な措置をスムーズに行動に移すことができる。また、ヘッドセット７は、相互の通話内容も明瞭に聞き取りやすく、正確に情報を伝達するためにも好ましい。
【００６２】
また、ヘッドセット７とナースコール親機５間の無線通信環境は自動的に成立するように設定されているので、ナースコール親機５からの呼び出しを受信した際に、ヘッドセット７を装着した医療従事者Ａは、ナースステーションにいる医療従事者Ｂとの通話状態にスムーズに移行することができる。
【００６３】
また、ナースコール親機５の大型モニタ５１には、医療従事者Ａが対処しようとしている患者Ｘの患者詳細情報や映像情報が表示されるように構成されているので、例えばナースステーションで待機していた医療従事者Ｂは、患者Ｘのそれらの情報を確認しながら、病室にいる医療従事者Ａに対して適切な指示を出すことができる。
【００６４】
また、ヘッドセット７とナースコール親機５間の無線通信環境を成立させるに際し、最初の操作として医療従事者Ａがナースコール子機２を用いて医療従事者Ｂを呼び出している。この場合、ナースコール親機５側で医療従事者Ａの携帯端末６を特定することが必要となるが、医療従事者Ｂは、ナースコール親機５の大型モニタ５１に表示された各医療従事者名と携帯ＩＤとを対応させた医療従事者リストの中から医療従事者Ａを特定するという簡単な操作を行えばよい。このように、医療従事者名と対応付けられた携帯ＩＤによって、医療従事者Ａが携帯する端末を特定することが可能であるため、携帯端末の特定にミスが生じにくく、医療従事者Ａは、ナースステーションにいる医療従事者Ｂとの通話状態にスムーズに移行することができる。
【００６５】
また、医療従事者Ｂを呼び出す際に、医療従事者Ａが携帯する携帯端末６を用いることも考えられるが、この場合は、ナースコール親機５側で医療従事者Ｂが全患者のリストの中から患者Ｘを探し出して口頭で特定しなければならず、同姓同名の患者もいることを考えると特定ミスが発生しやすく好ましくない。これに対して、本形態では、上記のように医療従事者Ｂを呼び出す際にナースコール子機２を用いているので、ナースコール子機ＩＤに基づいてシステム側が患者Ｘを特定可能であり、患者特定にミスが生じにくい。
【００６６】
さらに、医療従事者Ｂ（スーパーバイザであるベテラン看護師）をナースステーションに待機させて、経験５年未満の若手看護師に対して必要なサポートをする体制をとることができるので、少ない人数の医療従事者でも勤務シフトが組みやすくなる。
【００６７】
このように、本形態の構成によれば、各医療従事者間におけるスムーズな業務連携を支援することが可能なナースコールシステム１を提供することができる。
【００６８】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００６９】
例えば、上記形態ではスタッフコールボタン２１ｄが二度押しされて指導を要求する呼び出しがされた場合、ナースステーションに設置されたナースコール親機５に対して指導要求呼出信号が送信されたが、ナースコール親機５とは別にスーパーバイザ専用の親機（例えばパーソナルコンピュータ）を設けて、この専用の親機へ指導要求呼出信号を送信するようにしても良い。この場合、専用の親機は、上記ナースコール親機５と同等の機能を有するように構成される。また、専用の親機は、図１に示すＬＡＮと接続されていればよく、必ずしもナースステーションに設置しなくても良い。なお、この専用の親機では、指導要求呼出信号以外による呼び出しに対しては呼出音が出力されないように設定しても良い。この構成によれば、スーパーバイザへの呼び出しに対して、スーパーバイザが専用の親機で迅速に対応することができ、医療従事者全体の業務効率を向上させることができる。
【００７０】
また、例えば、カメラ４が患者のベッドに設置されていない場合には、医療従事者が携帯端末のカメラで患者の様子を撮像し、その撮像された映像を制御機８を介してナースコール親機５へ送信するようにしても良い。この場合にもナースコール親機５のところにいる医療従事者は、患者の様子を映像で確認しながら、病室にいる医療従事者に対して適切なアドバイスを出すことができる。
【符号の説明】
【００７１】
１：ナースコールシステム、２：ナースコール子機、３：廊下灯、４：カメラ、５：ナースコール親機、６：携帯端末、７：ヘッドセット（携帯通話機器の一例）、８：制御機、９：交換機、２１ｃ，２２ａ：呼出ボタン、２１ｄ：スタッフコールボタン、２４：廊下灯Ｉ／Ｆ（子機送信部の一例）、５１：大型モニタ（親機表示部の一例）、５５：制御機Ｉ／Ｆ（親機送信部の一例）、５６：患者詳細情報、５７：映像情報、５８：携帯情報
【図１】
0006535559.tif 000002
【図２】
0006535559.tif 000003
【図３】
0006535559.tif 000004
【図４】
0006535559.tif 000005
【図５】
0006535559.tif 000006
【図６】
0006535559.tif 000007
【図７】
0006535559.tif 000008